(57)【要約】【課題】  より安全性の高い通信を実現する。【解決手段】  本発明の画像処理装置は、識別情報と対応づけられている画像データを記録媒体に記録する記録手段と、人体を介して外部装置と通信することにより、前記外部装置から識別情報を受信する受信手段と、前記記録手段により記録されている画像データに対応づけられている識別情報と、前記受信手段により、前記外部装置から人体を介して受信された識別情報とを比較する第１の比較手段と、前記第１の比較手段による比較の結果に応じて、前記識別情報と対応づけられている画像データを表示部に表示するよう制御する表示制御手段とを有することを特徴とする。【選択図】  図６
2014110512.tif 000002
【特許請求の範囲】
【請求項１】
識別情報と対応づけられている画像データを記録媒体に記録する記録手段と、
人体を介して外部装置と通信することにより、前記外部装置から識別情報を受信する受信手段と、
前記記録手段により記録されている画像データに対応づけられている識別情報と、前記受信手段により、前記外部装置から人体を介して受信された識別情報とを比較する第１の比較手段と、
前記第１の比較手段による比較の結果に応じて、前記識別情報と対応づけられている画像データを表示部に表示するよう制御する表示制御手段とを有することを特徴とする画像処理装置。
【請求項２】
前記受信手段が人体を介して前記外部装置と通信することができない場合、前記表示制御手段は、前記識別情報と対応づけられている画像データを表示部に表示しないよう制御することを特徴とする請求項１に記載の画像処理装置。
【請求項３】
前記受信手段により外部装置から受信された識別情報を保持する保持手段を更に有し、
前記受信手段は、定期的に前記外部装置から前記識別情報を受信することを特徴とする請求項１または２に記載の画像処理装置。
【請求項４】
前記受信手段により外部装置から受信された識別情報と、前記保持手段により保持された識別情報とを比較する第２の比較手段を更に有し、
前記第１の比較手段は、前記第２の比較手段による比較の結果に応じて、比較を行うか否か判断することを特徴とする請求項３に記載の画像処理装置。
【請求項５】
前記受信手段により外部装置から受信された識別情報を記録媒体に保持する保持手段と、
前記受信手段により外部装置から受信された識別情報と、前記記録媒体に保持されている識別情報とを比較する第２の比較手段とを更に有し、
前記第２の比較手段による比較の結果、前記受信手段により外部装置から受信された識別情報と、前記保持手段により保持されている識別情報とが一致しない場合、前記第１の比較手段は、前記受信手段により外部装置から受信された識別情報と、前記記録手段により記録されている画像データに対応づけられている識別情報とを比較しないことを特徴とする請求項１または２に記載の画像処理装置。
【請求項６】
前記第２の比較手段による比較の結果、前記受信手段により外部装置から受信された識別情報と、前記保持手段により保持されている識別情報とが一致する場合、前記第１の比較手段は、前記受信手段により外部装置から受信された識別情報と、前記記録手段により記録されている画像データに対応づけられている識別情報とを比較することを特徴とする請求項５に記載の画像処理装置。
【請求項７】
ユーザ操作に応じた指示を受け付ける受け付け手段を更に有し、
前記受け付け手段が、所定の指示を受け付けた場合、前記受信手段は、前記外部装置から識別情報を受信することを特徴とする請求項１乃至６のいずれか１項に記載の画像処理装置。
【請求項８】
ユーザ操作に応じた指示を受け付ける受け付け手段を更に有し、
前記受け付け手段が所定の指示を受け付けた場合、前記受信手段は、定期的な受信とは別に、前記外部装置から識別情報を受信することを特徴とする請求項３に記載の画像処理装置。
【請求項９】
前記受信手段により、定期的な受信とは別に受信された識別情報が、前記保持手段により既に保持されている識別情報と一致する場合、前記保持手段により既に保持されている識別情報を削除する削除手段を更に有することを特徴とする請求項８に記載の画像処理装置。
【請求項１０】
前記受信手段により、定期的な受信とは別に受信された識別情報が、前記保持手段により既に保持されている識別情報と一致する場合、前記保持手段により既に保持されている識別情報の自動的な削除を防ぐための削除不可の設定を有効にする設定手段を更に有することを特徴とする請求項８に記載の画像処理装置。
【請求項１１】
前記受信手段により、定期的な受信とは別に受信された識別情報に一致する、前記保持手段により既に保持されている識別情報が、既に自動的に削除できないよう設定されている場合、前記設定手段は、前記保持手段により既に保持されている識別情報の削除不可の設定を解除することを特徴とする請求項１０に記載の画像処理装置。
【請求項１２】
被写体を撮像して前記画像データを得る撮像手段と、
前記撮像手段により撮像された画像データに、前記受信手段により受信された識別情報を対応づける対応づけ手段とを更に有し、
前記記録手段は、前記対応づけ手段により識別情報が対応づけられた画像データを記録媒体に記録することを特徴とする請求項１乃至１０のいずれか１項に記載の画像処理装置。
【請求項１３】
識別情報と対応づけられている画像データを記録媒体に記録する記録ステップと、
人体を介して外部装置と通信することにより、前記外部装置から識別情報を受信する受信ステップと、
前記記録媒体に記録されている画像データに対応づけられている識別情報と、前記受信ステップで前記外部装置から人体を介して受信された識別情報とを比較する比較ステップと、
前記比較ステップでの比較の結果に応じて、前記識別情報と対応づけられている画像データを表示部に表示するよう制御する表示制御ステップとを有することを特徴とする画像処理装置の制御方法。
【請求項１４】
コンピュータを、請求項１乃至１２のいずれか１項に記載の画像処理装置の各手段として機能させるための、コンピュータが読み取り可能なプログラム。
【発明の詳細な説明】
【技術分野】
【０００１】
本発明は、人体通信を用いた画像処理装置に関する。
【背景技術】
【０００２】
近年、記録媒体の記録容量の増加してきている。また、この記録媒体の容量の大きさを活かして、複数のユーザが記録媒体を共有して利用することが行われている。しかしながら、このような利用シーンにおいては、プライバシー性の問題が存在すると考えられる。例えば、デジタルカメラに記録媒体を装着して、複数のユーザがデジタルカメラを用いているシーンについて考える。この場合、記録媒体に記録されている画像データの中には、他のユーザに閲覧されたくない画像データが含まれていることも考えられる。このような状況において、よりプライバシー性の高い再生環境を実現するために、例えば、特許文献１には、撮像するユーザが所持する無線ＩＤタグから識別情報を読み取り、その識別情報を画像データに関連付けておく。そして、画像データの再生の際には、再度無線ＩＤタグから読み取った識別情報と画像データに関連付けられている識別情報とを比較し、一致しているもののみを再生可能とする装置が開示されている。
【先行技術文献】
【特許文献】
【０００３】
【特許文献１】特開２００８−８４１０７号公報
【発明の概要】
【発明が解決しようとする課題】
【０００４】
しかしながら、上述の特許文献１に開示されているような無線ＩＤタグは、一般的にある程度の通信範囲の広がりを有しており、予期しない第三者の無線ＩＤタグと通信してしまう可能性が考えられる。つまり、通信の安全性が十分に保たれない恐れがあった。
【０００５】
本発明はこの点に鑑みてなされたものであり、より安全性の高い通信を実現することを目的とする。
【課題を解決するための手段】
【０００６】
上記目的を達成するために、本発明の画像処理装置は、識別情報と対応づけられている画像データを記録媒体に記録する記録手段と、人体を介して外部装置と通信することにより、前記外部装置から識別情報を受信する受信手段と、前記記録手段により記録されている画像データに対応づけられている識別情報と、前記受信手段により、前記外部装置から人体を介して受信された識別情報とを比較する第１の比較手段と、前記第１の比較手段による比較の結果に応じて、前記識別情報と対応づけられている画像データを表示部に表示するよう制御する表示制御手段とを有することを特徴とする。
【発明の効果】
【０００７】
本発明によれば、より安全性の高い通信を実現することができる。
【図面の簡単な説明】
【０００８】
【図１】（ａ）第１の実施形態に係る画像処理装置のブロック図、（ｂ）第１の実施形態係る画像処理装置の外観の一例
【図２】（ａ）第１の実施形態に係るＩＤ装置のブロック図、（ｂ）第１の実施形態係るＩＤ装置の外観の一例
【図３】第１の実施形態における撮像を行う際の画像処理装置の動作を示すフローチャート
【図４】第１の実施形態におけるＩＤ装置の動作を示すフローチャート
【図５】第１の実施形態の画像処理装置における記録媒体の記録領域の概念図
【図６】第１の実施形態における再生を行う際の画像処理装置の動作を示すフローチャート
【図７】第２の実施形態における再生を行う際の画像処理装置の動作を示すフローチャート
【図８】第３の実施形態における再生を行う際の画像処理装置の動作を示すフローチャート
【発明を実施するための形態】
【０００９】
以下に、本発明を実施するための形態について、添付の図面を用いて詳細に説明する。
【００１０】
尚、以下に説明する実施の形態は、本発明の実現手段としての一例であり、本発明が適用される装置の構成や各種条件によって適宜修正又は変更されてもよい。また、各実施の形態は適宜組み合わされることも可能である。
【００１１】
［第１の実施形態］
＜ハードウェア構成について＞
図１は、本実施形態の画像処理装置の一例であるデジタルカメラ１００の構成例を示すブロック図である。なお、ここでは画像処理装置の一例としてデジタルカメラについて述べるが、画像処理装置はこれに限られない。例えば画像処理装置は、携帯電話や、タブレットデバイス、パーソナルコンピュータなどの情報処理装置であってもよいし、カメラ付き携帯電話等の撮像装置であってもよい。
【００１２】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。また、本実施形態におけるデジタルカメラ１００は、少なくとも撮像モードと再生モードとを有し、それぞれのモードにおける動作は制御部１０１により制御される。撮像モードは、後述する撮像部１０２により画像データを取得するためのモードである。ユーザはこのモードにより、被写体を撮像して画像データを得ることができる。このモードは、例えばデジタルカメラ１００の操作部１０５に含まれる電源ボタンをＯＮにすることにより開始される。再生モードは、後述する記録媒体１１０に記録されている画像データを表示部１０６に表示するモードである。ユーザはこのモードにより、撮像モードで取得した画像データや、他の機器で記録媒体１１０に記録した画像データ等を閲覧することができる。このモードは、例えばデジタルカメラ１００の操作部１０５に含まれる再生ボタンをＯＮにすることにより開始される。
【００１３】
撮像部１０２は、撮像部１０２に含まれるレンズで結像された被写体光を電気信号に変換し、ノイズ低減処理などを行いデジタルデータを画像データとして出力する。撮像した画像データはバッファメモリに蓄えられた後、制御部１０１にて所定の演算を行い、記録媒体１１０に記録される。
【００１４】
不揮発性メモリ１０３は、電気的に消去・記録可能な不揮発性のメモリであり、制御部１０１で実行される後述のプログラム等が格納される。
【００１５】
作業用メモリ１０４は、撮像部１０２で撮像された画像データを一時的に保持するバッファメモリや、表示部１０６の画像表示用メモリ、制御部１０１の作業領域等として使用される。
【００１６】
操作部１０５は、ユーザ操作に応じた各種指示を受け付けるために用いられる。操作部１０５は例えば、ユーザがデジタルカメラ１００の電源のＯＮ／ＯＦＦを指示するための電源ボタンや、撮像を指示するためのレリーズスイッチ、画像データの再生を指示するための再生ボタンなどの操作部材を含む。また、後述する表示部１０６に形成されるタッチパネルも操作部１０５に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮像準備を行うための指示を受け付ける。また、レリーズスイッチが、いわゆる全押し状態となることにより、ＳＷ２がＯＮとなる。これにより、撮像を行うための指示を受け付ける。
【００１７】
表示部１０６は、撮像の際のビューファインダー画像の表示、撮像した画像データの表示、対話的な操作のための文字表示などを行う。なお、表示部１０６は必ずしもデジタルカメラ１００が備える必要はない。デジタルカメラ１００は表示部１０６と接続することができ、表示部１０６の表示を制御する表示制御機能を少なくとも有していればよい。
【００１８】
記録媒体１１０は、撮像部１０２から出力された画像データを記録することができる。記録媒体１１０は、デジタルカメラ１００に着脱可能なよう構成してもよいし、デジタルカメラ１００に内蔵されていてもよい。すなわち、デジタルカメラ１００は少なくとも記録媒体１１０にアクセスする手段を有していればよい。
【００１９】
人体通信部１１１は、いわゆる人体通信により、外部装置と情報のやりとりをするためのインターフェースである。人体通信では、人間の体を通信経路として利用する。デジタルカメラ１００のユーザは、人体通信部１１１に触れることにより、人体通信の通信経路の一部として利用される。例えば、他の人体通信に対応した外部機器の人体通信部に触れている状態でこの人体通信部１１１に触れた場合、外部機器とデジタルカメラ１００との間の通信経路がユーザの人体を介して確定することになる。なお、人体通信は、必ずしも接触する必要はない。人体通信部１１１から所定の距離以内の範囲まで近づけば、離れていても通信を確立することができる。すなわち、例えば服により人体と人体通信部とが隔てられていたとしても人体通信の通信経路を確定することができる。一般に、この所定の距離は数ミリ〜数センチ程度である。そのため、第三者が近づいただけでは人体通信部が利用する通信経路は確立しない。つまり、予期せぬ通信が行われることのないセキュリティ性の高い通信を実現することができる。その一方で、通信したい二つの機器が同じ人体にさえ触れていれば（人体との通信が可能な距離にさえあれば）、通信する機器間の距離は問わない。そのため、通信のために機器間の距離を近づけるといった動作をする必要がなく、利便性の高い通信を実現することができる。
【００２０】
次に、デジタルカメラ１００の外観について説明する。
【００２１】
図１（ｂ）はデジタルカメラ１００の概観の一例を示す図である。本実施形態のデジタルカメラ１００では、人体通信部１１１は、デジタルカメラ１００の側面のうち、操作部１０５に含まれるレリーズスイッチ１０５ａが設けられている側に配される。これにより、デジタルカメラ１００のユーザは、レリーズスイッチ１０５ａが設けられている側を把持するだけで、デジタルカメラ１００の人体通信部１１１とユーザの手との間の距離が、人体通信が可能となる距離になる。つまり、外部機器の人体通信部と人体通信可能な距離であれば、ユーザはデジタルカメラ１００を自然に利用するだけで、外部機器とデジタルカメラ１００との間の人体通信の通信経路を確定することができる。なお、人体通信の確立をより確実にするために、デジタルカメラ１００の両側面や底面、天面のうち、いずれかあるいはすべてに人体通信部１１１を配してもよい。
【００２２】
以上がデジタルカメラ１００の説明である。
【００２３】
＜ＩＤ装置の説明＞
次に、デジタルカメラ１００が、ユーザの人体を介して通信可能な外部機器の一例であるＩＤ装置について説明する。
【００２４】
図２（ａ）はＩＤ装置の構成を示すブロック図である。
【００２５】
制御部２０１は、入力された信号や、後述のプログラムに従ってＩＤ装置２００の各部を制御する。なお、制御部２０１が装置全体を制御する代わりに、複数のハードウェアが処理を分担することで、装置全体を制御してもよい。
【００２６】
不揮発性メモリ２０３は、電気的に消去・記録可能な不揮発性のメモリであり、制御部２０１で実行される後述のプログラム等が格納される。
【００２７】
作業用メモリ２０４は、制御部２０１の作業領域等として使用される。
【００２８】
記録媒体２１０は、ユーザ個人を示す識別情報（ＩＤ）を記録することができる記録装置である。記録媒体２１０は、ＩＤ装置２００に着脱可能なよう構成してもよいし、ＩＤ装置２００に内蔵されていてもよい。すなわち、ＩＤ装置２００は少なくとも記録媒体２１０にアクセスする手段を有していればよい。
【００２９】
人体通信部２１１は、人間の体を通信経路として利用する通信、いわゆる人体通信により、外部装置と情報のやりとりをするためのインターフェースである。本実施形態ではＩＤ装置２００はデジタルカメラ１００と、人体通信を利用して通信することができる。
【００３０】
次に、ＩＤ装置の外観について説明する。
【００３１】
図２（ｂ）はＩＤ装置の外観の一例である。図２（ｂ）では、ＩＤ装置２００の本体としてカード状のデバイスの例を示している。カード状の本体の両面には人体通信部２１１が配されている。また、ＩＤ装置２００にはストラップが付されている。ＩＤ装置２００をユーザの首から下げるなどしておけば、自然にユーザの服越しに人体通信の通信経路にアクセスすることができる。以下の説明では、このＩＤ装置はユーザ毎に個別に所持されており、ユーザ毎に個別のＩＤが予め記録されているものとする。
【００３２】
以上が本実施形態におけるＩＤ装置の説明である。
【００３３】
＜画像データの生成＞
次に本実施形態におけるデジタルカメラ１００を利用した画像データの生成について述べる。図３は、画像データを生成する際のデジタルカメラ１００の動作を示すフローチャートである。このフローチャートに示される各処理は、デジタルカメラ１００の制御部１０１が、不揮発性メモリ１０３に記録されているプログラムを実行し、プログラムに従いデジタルカメラ１００の各部を制御することにより実現される。なお、ここでは、デジタルカメラ１００のユーザは、ＩＤ装置を身につけている、すなわちユーザの人体が人体通信の通信経路として利用可能な状態にあることを前提として説明する。以降のデジタルカメラ１００のフローチャートについても同様である。また、このフローチャートに示される処理は、例えばデジタルカメラ１００が撮像モードとなることにより開始される。
【００３４】
まず、ステップＳ３０１にて、制御部１０１は、撮像部１０２から出力される画像データを、表示部１０６にスルー画像として表示する。このステップの処理は後述のステップＳ３０２〜ステップＳ３０６と並行して実行される。
【００３５】
次に、ステップＳ３０２では、制御部１０１は、操作部１０５に含まれる再生ボタンがＯＮとなったか否かを判断する。このステップの処理は、後述のステップＳ３０３〜ステップＳ３０６と並行して実行される。制御部１０１が、再生ボタンがＯＮとなったと判断した場合、撮像モードから再生モードに遷移する指示を受け付けたと判断する。この場合、制御部１０１は、本フローチャートの処理を終了して、再生モードに移る。一方、制御部１０１が、再生ボタンがＯＮとなっていないと判断した場合、処理はステップＳ３０３に進む。
【００３６】
ステップＳ３０３では、制御部１０１は、ＳＷ１がＯＮとなったか否かを判断する。制御部１０１が、ＳＷ１がＯＮとなっていないと判断した場合、処理はステップＳ３０２に戻る。一方、制御部１０１が、ＳＷ１がＯＮとなったと判断した場合、処理はステップＳ３０４に進む。ステップＳ３０４では、制御部１０１は、撮像部１０２を用いてＡＦ処理やＡＥ処理等の撮像準備を行う。
【００３７】
次に、ステップＳ３０５にて制御部１０１は、ＳＷ２がＯＮとなったか否かを判断する。制御部１０１がＳＷ２がＯＮとなっていないと判断した場合、処理はステップＳ３０６に進む。
【００３８】
ステップＳ３０６では、制御部１０１は、ＳＷ１がＯＮとなっているか否かを判断する。制御部１０１が、ＳＷ１がＯＮとなっていないと判断した場合、処理はステップＳ３０２に戻る。一方、制御部１０１が、ＳＷ１がＯＮとなっていると判断した場合、処理はステップＳ３０５に戻る。
【００３９】
ステップＳ３０５にて、制御部１０１が、ＳＷ２がＯＮとなったと判断した場合、処理はステップＳ３０７に進む。
【００４０】
ステップＳ３０７では、制御部１０１は、撮像部１０２を用いて撮像を行い、画像データを取得する。
【００４１】
続くステップＳ３０８にて、制御部１０１は、人体通信部１１１を介して、ＩＤ装置２００からＩＤを受信する。具体的には、ＩＤ装置２００に対し、ＩＤを要求するための要求信号を送信する。この要求信号を人体通信を介して受信したＩＤ装置２００は、その応答としてＩＤをデジタルカメラ１００に返信する。この返信を受信することにより、デジタルカメラ１００はユーザのＩＤを得る。なお、前述のように、レリーズスイッチをＯＮにしようとしてデジタルカメラ１００を把持した場合に、自然に人体通信による通信経路が確立できるよう人体通信部１１１が配されている。そのため、ユーザはＩＤ装置２００との通信が確立しているか否かを意識する必要はない。なお、ＩＤ装置２００の電源は既にＯＮとなっており、人体通信によるＩＤの要求の受信を待っているものとする。
【００４２】
最後に、ステップＳ３０９では、制御部１０１は、ステップＳ３０８で得られたＩＤをステップＳ３０７で得られた画像データに、その画像データの撮像者を示すＩＤとして対応づけ、記録媒体１１０に保存する。このステップの処理が終了すると、処理はステップＳ３０１に戻る。
【００４３】
以上が、撮像モードにおけるデジタルカメラの動作である。なお、ＩＤ受信のタイミングはステップＳ３０７の後に限られない。受信するＩＤが、ステップＳ３０６のＳＷ２のＯＮによる撮像指示により生成される画像データの撮像者とみなせるタイミングであればいつでもよい。例えば、ステップＳ３０３からステップＳ３０９までの間にデジタルカメラ１００を把持するユーザが変わることは考えにくいため、少なくともステップＳ３０３からステップＳ３０９までであれば、どのタイミングでＩＤ受信を行ってもよい。
【００４４】
次に、上記の動作に対応するＩＤ装置２００の動作について説明する。
【００４５】
図４は、ＩＤ装置２００の動作を示すフローチャートである。このフローチャートに示される各処理は、ＩＤ装置２００の制御部２０１が、不揮発性メモリ２０３に記録されているプログラムを実行し、プログラムに従いＩＤ装置２００の各部を制御することにより実現される。
【００４６】
ステップＳ４０１では、制御部２０１は、デジタルカメラ１００からＩＤの要求が受信されたか否かを判断する。受信されていないと判断した場合、本ステップの処理を繰り返す。一方、受信したと判断した場合、制御部２０１は、予め記録媒体２１０に記録されているＩＤを応答としてデジタルカメラ１００へ送信する。その後処理はステップＳ４０１に戻り、上記の処理を繰り返す。なお、電源がＯＦＦにされることにより、本フローチャートの処理は終了する。
【００４７】
以上がＩＤ装置の動作の説明である。なお、本実施形態ではＩＤ装置自身が電源を有する場合について説明したが、これに限られるものではない。例えば、いわゆる非接触型ＩＣカードのように誘導起電力を利用して動作するものであっても構わない。この場合、ＩＤ装置の電源を省くことができるため、より簡易な実装が可能となる。
【００４８】
以上の撮像動作が実行された結果として、デジタルカメラ１００の記録媒体１１０には、撮像者のＩＤが対応づけられた画像データが記録されていくことになる。図５は、画像データが記録されている記録媒体１１０の記録領域の概念図である。図５に示すように、各画像データには管理番号が割り当てられる。制御部１０１は、この管理番号を参照することにより、画像データを管理する。
【００４９】
＜画像データの再生＞
次に、前述の撮像動作等により記録媒体に記録されている画像データの再生について述べる。図６は、画像データを再生する際のデジタルカメラ１００の動作を示すフローチャートである。このフローチャートに示される処理は、例えばデジタルカメラ１００が再生モードとなることにより開始される。
【００５０】
まず、ステップＳ６０１では、制御部１０１は、人体通信部１１１を介して、ＩＤ装置２００からＩＤを受信する。
【００５１】
次に、ステップＳ６０２では、制御部１０１は、ＩＤを受信できたか否かを判断する。制御部１０１がＩＤが受信できなかったと判断した場合、処理はステップＳ６１０に進む。ステップＳ６１０については後述する。一方、制御部１０１がＩＤを受信できたと判断した場合、処理はステップＳ６０３に進む。
【００５２】
ステップＳ６０３では、制御部１０１は、作業用メモリ１０４に記録されている現在のユーザを示すＩＤと、ステップＳ６０１で受信したＩＤとを比較する。比較の結果、両ＩＤが一致すると判断された場合、制御部１０１は、現在のデジタルカメラ１００を把持するユーザは変化していないと判断する。この場合処理はステップＳ６０８に進む。ステップＳ６０８については後述する。一方、比較の結果、両ＩＤが一致しないと判断された場合、制御部１０１は、現在のデジタルカメラ１００を把持するユーザが変化したと判断する。この場合処理はステップＳ６０４に進む。なお、このフローチャートが開始して最初にこのステップの処理を実行する場合、作業用メモリ１０４には現在のユーザを示すＩＤは保持されていない。この場合も、処理はステップＳ６０４に進む。
【００５３】
ステップＳ６０４では、制御部１０１は、作業用メモリ１０４に、ステップＳ６０１で受信したＩＤを、現在デジタルカメラ１００を利用しているユーザのＩＤを示す、利用者ＩＤとして保持する。なお、既に作業用メモリ１０４にＩＤが保持されている場合は、その保持されているＩＤの代わりに、ステップＳ６０１で受信したＩＤを新たに保持する。
【００５４】
続くステップＳ６０５では、制御部１０１は、記録媒体１１０に記録されている画像データに対応づけられている撮像者を示すＩＤと、ステップＳ６０１で受信したＩＤとを比較する。比較の結果、画像データに対応づけられている撮像者を示すＩＤと、ステップＳ６０１で受信したＩＤとが一致すると判断された場合、制御部１０１は現在デジタルカメラ１００を把持しているユーザは、画像データの撮像者であるとみなす。この場合、処理はステップＳ６０６に進む。
【００５５】
ステップＳ６０６では、制御部１０１は、ステップＳ６０３で撮像者のＩＤと現在のデジタルカメラ１００のユーザのＩＤとが一致したと判断された画像データの表示を許可する。具体的には、その画像データの管理番号を、表示が許可された画像データの番号として作業用メモリに保持する。ここで保持した管理番号は、後述の再生が許可された画像データの表示の際に参照される。すなわち、ここで管理番号が保持されることにより、再生が許可される。なお、このステップの処理で保持された管理番号は、ステップＳ６０４の実行と共にリセットされる。その後、処理はステップＳ６０７に進む。
【００５６】
ステップＳ６０７では、制御部１０１は、記録媒体１１０に記録されている画像データのうち、表示すべき画像データのすべてに対してステップＳ６０５の処理を実行したか否かを判断する。制御部１０１が、まだすべての画像データに対してステップＳ６０５の処理を実行していないと判断した場合、処理はステップＳ６０５に戻り、処理を繰り返す。一方、制御部１０１が、すべての画像データに対してステップＳ６０５の処理を実行したと判断した場合、処理はステップＳ６０８に進む。
【００５７】
一方、ステップＳ６０３にて、画像データに対応づけられている撮像者を示すＩＤと、ステップＳ６０１で受信したＩＤとが一致しないと判断された場合、制御部１０１は現在デジタルカメラ１００を把持しているユーザは、画像データの撮像者でないとみなす。この場合、ステップＳ６０６の処理は実行されずにステップＳ６０７に進む。すなわち、画像データの管理番号は作業用メモリに保持されない。言い換えれば、画像データの表示は許可されない。
【００５８】
次に、ステップＳ６０８では、制御部１０１は、表示が許可された画像データが存在するかどうかを判断する。具体的には、制御部１０１は、作業用メモリ１０４に管理番号が記録されているか否かを判断する。制御部１０１が、作業用メモリ１０４に管理番号が記録されていると判断した場合、処理はステップＳ６０９に進む。
【００５９】
ステップＳ６０９では、作業用メモリ１０４に記録されている管理番号に対応する画像データを再生する。その後、処理はステップＳ６１１に進む。
【００６０】
一方、ステップＳ６０８で、制御部１０１が、作業用メモリ１０４に管理番号が記録されていないと判断した場合、処理はステップＳ６１０に進む。
【００６１】
ステップＳ６１０では、再生不許可の旨を示すメッセージを表示部１０６に表示する。その後、処理はステップＳ６１１に進む。
【００６２】
ステップＳ６１１では、制御部１０１は、撮像モードに遷移する指示を受け付けたか否かを判断する。撮像モードに遷移する指示を受け付けたと判断した場合、本フローチャートの処理を終了し、撮像モードに遷移する。一方、制御部１０１が、撮像モードに遷移する指示を受け付けていないと判断した場合、処理はステップＳ６０１に戻り、上記の処理を繰り返す。この繰り返しの結果、定期的にＩＤを受信することになる。すなわちユーザがデジタルカメラ１００を把持しているかどうかが定期的にチェックされる。
【００６３】
以上が、画像データを再生する際の撮像装置の動作についての説明である。なお、上記の撮像装置の動作に対応するＩＤ装置の動作については、図４と同様のため、説明は省略する。
【００６４】
上述のように、本実施形態のデジタルカメラでは、ユーザの自然な操作により確立される人体通信を介して、撮像者のＩＤを画像データに対応づけて保存する。また、再生時には、デジタルカメラ１００は、把持されるだけで把持しているユーザのＩＤを受信し、他のユーザＩＤが撮像者のＩＤとして登録されている画像データを表示しないようにする。これにより、ユーザは自然にデジタルカメラを利用するだけで、他ユーザに閲覧されたくない画像データが他のユーザの利用中に表示されてしまうことを防ぐことができる。すなわち、より手軽にプライバシー性の高い再生環境を実現することができる。その一方で、ＩＤの受信経路には人体通信を採用した。これにより、第三者が隣に立つような状況であっても、第三者のＩＤを受信してしまうといった不都合が生じる可能性が低減される。すなわち、より安全な通信を実現することができる。
【００６５】
［第２の実施形態］
次に、第２の実施形態について説明する。第２の実施形態では、複数のユーザによりデジタルカメラ１００が利用される場合にも対応し得るデジタルカメラ１００について述べる。なお、本実施形態は、第１の実施形態と共通する部分が多いため、共通部分は説明を省略し、本実施形態に特有の部分を中心に説明する。
【００６６】
図７は、本実施形態におけるデジタルカメラ１００の動作を示すフローチャートである。このフローチャートの処理は、例えばデジタルカメラ１００が再生モードになることに応じて開始される。
【００６７】
ステップＳ７０１〜ステップＳ７０３は、図６のステップＳ６０１〜ステップＳ６０３と同様のため説明は省略する。
【００６８】
ステップＳ７０４では、制御部１０１は、ステップＳ７０１で受信したＩＤを、作業用メモリ１０４に追記する。この際、図６のステップＳ６０４とは異なり、既に記録済みのＩＤはそのまま保持される。すなわち、作業用メモリ１０４には複数のＩＤが保持されることになる。この結果、ステップＳ７０９では、撮像者のうち複数のユーザが画像データを閲覧することができる。ステップＳ７０５〜ステップＳ７１０は、図６のステップＳ６０５〜ステップＳ６１０と同様のため、説明は省略する。
【００６９】
ステップＳ７１１では、制御部１０１は、最後にＩＤを受信してから所定の時間が経過したか否かを判断する。例えば、ステップＳ７０２にてＩＤが受信されるとカウントをスタートし、ＩＤが受信される度にカウントをリセットするタイマーを設ける。制御部１０１は、このタイマーのカウントを参照することにより最後にＩＤを受信してからの経過時間を知ることができる。制御部１０１が所定の時間が経過していないと判断した場合、処理はステップＳ７１３に進む。ステップＳ７１３は図６のステップＳ６１１と同様のため説明は省略する。一方、ステップＳ７１１にて制御部１０１が、所定の時間が経過していると判断した場合、処理はステップＳ７１２に進む。
【００７０】
ステップＳ７１２では、制御部１０１は、作業用メモリ１０４に記録されているすべてのＩＤを削除する。すなわち、一定時間デジタルカメラ１００が利用されていない場合は、ステップＳ７０４で作業用メモリ１０４に蓄積したユーザのＩＤがリセットされる。これにより、放置したデジタルカメラを第三者が利用して、閲覧されたくない画像データが第三者に閲覧されてしまうという可能性を低減することができる。
【００７１】
以上が本実施形態におけるデジタルカメラの動作である。なお、この動作に対応するＩＤ装置の動作については、図４と同様のため説明は省略する。
【００７２】
上述のような動作により、本実施形態のデジタルカメラでは、ＩＤが保持されている複数のユーザが同時にカメラを利用して画像データを閲覧することができる一方で、第三者からの望まぬ利用を防ぐことができる。すなわち、ユーザの利便性と、プライバシー性の高い利用環境とを両立することができる。
【００７３】
［第３の実施形態］
次に、第２の実施形態について説明する。第２の実施形態では、複数のユーザによりデジタルカメラ１００が利用される場合にも対応し得るデジタルカメラ１００について述べる。なお、本実施形態は、第１の実施形態や第２の実施形態と共通する部分が多いため、共通部分は説明を省略し、本実施形態に特有の部分を中心に説明する。
【００７４】
本実施形態のデジタルカメラ１００の操作部１０５には、ＩＤトグルボタンが設けられている。ＩＤトグルボタンは、ユーザのＩＤを受信して作業用メモリ１０４に保持すること、および作業用メモリ１０４に保持されているユーザのＩＤを削除すること、を選択的に実行するためのボタンである。このボタンによるＩＤの受信は、図６のステップＳ６０１や図７のステップＳ７０１の処理とは別に行われる。これにより、ユーザは任意のタイミングでＩＤの保持および削除を実行することができるため、よりユーザの利用シーンに沿った動作を実現することができる。
【００７５】
更に、本実施形態のデジタルカメラ１００の操作部１０５には、ＩＤロックボタンが設けられている。ＩＤロックボタンは、作業用メモリ１０４に記録されている自分のＩＤが自動的に削除されないようにするための指示を入力するためのボタンである。これによりロックされたＩＤは、前述のＩＤトグルボタンによる削除でしか削除できないように、固定的に作業用メモリ１０４に記録される。例えば、ユーザは友人にカメラを渡す際に、予め自分のＩＤをロックしておくことで、自分が撮像した画像データを友人に公開することができる。
【００７６】
上記の動作を実現するための、デジタルカメラ１００の動作について説明する。図８は、本実施形態におけるデジタルカメラ１００の動作を示すフローチャートである。このフローチャートの処理は、例えばデジタルカメラ１００が再生モードになることに応じて開始される。
【００７７】
ステップＳ８０１〜ステップＳ８０３は、図７のステップＳ７０１〜ステップＳ７０３と同様の処理が実行される。また、ステップＳ８０３で制御部１０１が、ステップＳ８０１で受信したＩＤと、作業用メモリ１０４に記録済みのＩＤとが一致しないと判断した場合には、受信したＩＤを作業用メモリ１０４に保持することなくステップＳ８０４に進む。ステップＳ８０４〜ステップＳ８１１では、図７のステップＳ７０５〜ステップＳ７１２と同様の処理が実行される。
【００７８】
ステップＳ８１２では、制御部１０１は、ＩＤトグルボタンの押下を検知する。制御部１０１が、ＩＤトグルボタンが押下されていないと判断した場合、処理はステップＳ８１７に進む。ステップＳ８１７の処理については後述する。一方、制御部１０１がＩＤトグルボタンが押下されたと判断した場合、処理はステップＳ８１３に進む。
【００７９】
ステップＳ８１３では、制御部１０１は、ＩＤ装置からＩＤを受信する。この処理はステップＳ８０１と同様の処理である。
【００８０】
続くステップＳ８１４では、制御部１０１は、ステップＳ８１３で受信したＩＤが既に作業用メモリ１０４に記録されているＩＤであるか否かを判断する。制御部１０１が、既に作業用メモリ１０４に記録されているＩＤであると判断した場合、処理はステップＳ８１５に進む。ステップＳ８１５では、制御部１０１は、作業用メモリ１０４に記録されている、ステップＳ８１３で受信したＩＤと同じＩＤを削除する。その後処理はステップＳ８１７に進む。一方、制御部１０１が、既に作業用メモリ１０４に記録されているＩＤでないと判断した場合、処理はステップＳ８１６に進む。ステップＳ８１６では、制御部１０１は、ステップＳ８１３で受信したＩＤを新たに作業用メモリ１０４に追記する。なお、既に作業用メモリ１０４に他のＩＤが記録されていたとしても、他のＩＤを削除することなく、新たにＩＤが追加して記録される。すなわち、図７のステップＳ７０４と同様の処理が実行される。その後、処理はステップＳ８１７に進む。ステップＳ８１２〜ステップＳ８１６の一連の処理によって、上述のＩＤトグルボタンによるＩＤの追加および削除が実現される。
【００８１】
次に、ステップＳ８１７では、制御部１０１は、ＩＤロックボタンの押下を検知する。制御部１０１が、ＩＤロックボタンが押下されていないと判断した場合、処理はステップＳ８２３に進む。ステップＳ８２３の処理は、図７のステップＳ７１３と同様の処理が実行される。一方、制御部１０１がＩＤロックボタンが押下されたと判断した場合、処理はステップＳ８１８に進む。
【００８２】
ステップＳ８１８では、制御部１０１は、ＩＤ装置からＩＤを受信する。この処理はステップＳ８０１やステップＳ８１３と同様の処理である。
【００８３】
続くステップＳ８１９では、制御部１０１は、ステップＳ８１８で受信したＩＤが既に作業用メモリ１０４に記録されているＩＤであるか否かを判断する。制御部１０１が、既に作業用メモリ１０４に記録されているＩＤでないと判断した場合、処理はステップＳ８２１に進む。一方、制御部１０１が、既に作業用メモリ１０４に記録されているＩＤであると判断した場合、処理はステップＳ８２０に進む。ステップＳ８２０では、制御部１０１は、ステップＳ８１８で受信したＩＤと同じＩＤが既にロックされているＩＤであるか否かを判断する。具体的には、作業用メモリ１０４に保持しているＩＤに対応づけられる削除不可を示すフラグを参照する。このフラグが有効に設定されることにより、対応するＩＤはステップＳ８１１の処理によっては削除されないようになる。すなわち、ＩＤがロックされる。なお、このフラグは、初期状態は無効に設定されている。制御部１０１が、未だロックされていないＩＤであると判断した場合、処理はステップＳ８２２に進む。ステップＳ８２２では、制御部１０１は、当該ＩＤの削除不可を示すフラグを有効に設定する。すなわち、ＩＤをロックする。一方、制御部１０１が、既にロック済みのＩＤであると判断した場合、処理はステップＳ８２１に進む。ステップＳ８２１では、制御部１０１は、当該ＩＤの削除不可を示すフラグを無効に設定する。すなわち、ＩＤのロックを解除する。その後、処理はステップＳ８２３に進む。ステップＳ８１７〜ステップＳ８２２の一連の処理によって、上述のＩＤロックボタンによるＩＤのロックが実現される。
【００８４】
以上が、本実施形態のデジタルカメラ１００の動作である。なお、この動作に対応するＩＤ装置２００の動作は図４と同様のため説明は省略する。
【００８５】
以上のように、本実施形態のデジタルカメラ１００では、ユーザが任意のタイミングでＩＤの取得や削除を行うことができるようにした。これにより、よりユーザの意図に沿った動作を実現することができる。
【００８６】
［その他の実施形態］
上述の実施形態では、一度ＩＤを受信できなかっただけで再生不許可のメッセージが表示される可能性があった。これについては、例えば所定の回数連続してＩＤが受信できなかった場合にステップＳ８０９へ進むようにしてもよい。また、第３の実施形態においては、ロックされたＩＤが保持されている場合は、ステップＳ８０２の判断では必ずステップＳ８０３に進むようにしてもよい。あるいは、ロックされたＩＤが保持されている状態でステップＳ８２１から前の処理に戻る場合は、ステップＳ８０１ではなくステップＳ８０３に戻るようにしてもよい。これにより、ユーザはデジタルカメラ１００を把持し続けなくとも、再生不許可のメッセージが表示される可能性を低減することができる。
【００８７】
また、上述の実施形態では、撮像して得られる画像データにはすべてＩＤが付される場合を例に挙げて説明した。しかしながら、例えば撮像者ＩＤが登録されていない画像データが記録媒体１１０に記録されている場合も考えられる。このような場合は、利用者ＩＤと撮像者ＩＤとが一致する画像データに加えて、これらの撮像者ＩＤが登録されていない画像データも再生を許可されるよう制御してもよい。具体的には、図６のステップＳ６０５で撮像者ＩＤがない場合も検知し、撮像者ＩＤがないと判断された場合はステップＳ６０６に進むようにすればよい。
【００８８】
また、上述の実施形態では、利用者ＩＤを作業用メモリ１０４に保持する場合を例に挙げて説明した。これについては、例えば利用者ＩＤを記録媒体１１０や不揮発性メモリ１０３に保持するようにしてもよい。そのようにした場合、電源をＯＦＦにしても利用者ＩＤを記憶しているため、再度同じユーザが利用する際には撮像者ＩＤとの比較などの処理を行う必要がなくなる。すなわち、再生時の制御部の負荷を低減することができる。
【００８９】
また、上述の第３の実施形態では、ＩＤトグルボタンやＩＤロックボタンなどの物理ボタンを搭載しているデジタルカメラの例について述べた。これについては、例えばこれらのボタンをＧＵＩにより実現してもよい。この場合、例えばメニューの適切な場所に、ＩＤトグルボタンやＩＤロックボタンの機能を実行するためのアイコンを表示する。そしてユーザは操作部１０５を介してこのアイコンを選択することにより、物理ボタンを押下して実現される処理と同様の処理を実行するための指示を入力することができる。
【００９０】
また、上述の実施形態では、人体通信部１１１をデジタルカメラ１００の側面、天面、底面などに設ける例について述べた。これについては、先に挙げた例に限られるものではない。例えば、再生の際に確実にユーザが触れると考えられる再生ボタンや画像送りのボタン等のボタン部に人体通信部を設けてもよい。同様に撮像の際に確実にユーザが触れると考えられるレリーズスイッチに人体通信を設けてもよい。このようにすれば、自然なカメラの利用だけで人体通信を確立できるという手軽さを保ったまま、より人体通信による通信を確立しやすくなると考えられる。
【００９１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014110512.tif 000003
【図２】
2014110512.tif 000004
【図３】
2014110512.tif 000005
【図４】
2014110512.tif 000006
【図５】
2014110512.tif 000007
【図６】
2014110512.tif 000008
【図７】
2014110512.tif 000009
【図８】
2014110512.tif 000010